(57)【要約】【課題】野菜は家庭の食卓に上るまでに農家専用の畑で育成され、自家栽培を除き、野菜が食卓にのるまで長時間を要し、いくつかの流通段階を経るため、鮮度は畑で収穫したものとは異なる。さらに衛生面、農薬、放射能汚染等の不安も生じる。  本発明は、野菜等が持つ本来の味を、安全に、直接、食卓にのせるための野菜養生具を提供する。【解決手段】内部が中空からなる略円筒状の養生筒容器は上部筒体と下部の筒体が上下に分離され、上部筒体は下部の筒体に挿入自在とし、一本の養生筒容器が形成される。養生筒容器の胴面に複数の貫通する穴を設けている。養成体容器は表層部表装面の複数の切り抜き部を設け、表層部表装面の下方に保水スポンジ層が設けられ表層部表装面の切り抜き部と同位置に切り抜き部が設けられている。表層部表装面の切り込み穴に養生筒容器を差し込み式に格納し、容器内部のスポンジ層に液肥や水を給水する。養生筒容器の胴面の穴より液肥や水が補給され、養生筒容器に収容された野菜類を育成する。【選択図】図７
2013022013.tif 000002
【特許請求の範囲】
【請求項１】
養生体容器Ａが中空の筒で内側筒体部２と外側筒体部６の二つに分離され、内側筒体部２に縦長の切り込み４があり、内側筒体部２の切り込み部４は開閉と内側筒体部２の直径が収縮し、外側筒体部６に挿入自在となり一本の筒体を形成する。保水用の内側筒体部２に複数の貫通した穴５と、外側筒体部６に複数の貫通した穴７がある、内側筒体部２の中央部を取り巻く凹部３と外側筒体部６の中央部を取り巻く凹部８が設けられた野菜養生具。
【請求項２】
請求項１の養生筒容器Ａを収容する養成体容器Ｂは、養生筒容器Ａを表層部表装面１０から切り抜き部１１、切り込み部１２、化粧版１３の切り抜き部１４が連動し通じた口から挿入、上面の開いた養成体容器Ｂ内に格納し、養生筒容器Ａを高さ調整部１５ａ，１５ｂを通り、縦方向の網の固定安定枠１６ａと横方向の網の固定安定枠１６ｂの格子状の枠で養生筒容器Ａの内側筒体部２の凹部３を固定、外側筒体部６の凹部８を横方向の網の固定安定枠１６ｃと縦方向の網の固定安定枠１６ｄの格子状の枠で、挟んだ保水スポンジ層１７とで固定、養生筒容器Ａの動きを押さえ、保水スポンジ層１７で保水と共に衝撃などと容器外へ飛び出しを防ぎ、高さ調整部１５ｃ、高さ調整１５ｄで高さを調整しながら保水槽１８の給水を養生筒容器Ａの内側筒体部２の貫通した穴５と外側筒体部６の貫通した穴７で保水補給し、野菜の根、根菜類を養生する、給水口１９と排水口２０で流水を行うことで、容器部２１の保水槽の衛生管理を行い、卓上で野菜類等の保存、展示、陳列、採取ができ、持ち運びを可能にしたことを特徴する野菜養生具。
【発明の詳細な説明】
【技術分野】
【０００１】本発明は、家庭室内の卓上で野菜を育成し、かつ保存、陳列並びに採取するために用いる、野菜養生具に関するものである。
【背景技術】
【０００２】野菜は主に農家の野外の畑で育成並びに採取し、市場を通して家庭の食卓に上る。
【発明の概要】
【発明が解決しようとする課題】
【０００３】しかしながら、自家栽培を除き、野菜等が食卓にのぼるまでには長時間を要し、いくつかの流通段階を経るため、鮮度は畑で穫れたての場合とは異なる。さらに衛生面、農薬、放射能汚染等の不安も生じる。
そこで、この発明は、野菜等が持つ本来の味を、安全に、直接、食卓にのせることを課題とする。
【課題を解決するための手段】
【０００４】以上の課題を解決するために、第一の発明は、生育した野菜等を畑にある環境と同じくし、鮮度を保ちながら、陳列・保存を可能とする根の養生を特徴とする。第二の発明は持ち運び可能な野菜等の養成容器を特徴とする、
【発明の効果】
【０００５】本発明は、野菜等を卓上で生育・保存管理を容易にするため、安全で新鮮な野菜等を食卓で収穫し、そのまま食べることができる。
【図面の簡単な説明】
【０００６】
【図１】本発明の養生筒容器の斜視図。
【図２】本発明の養生筒容器の分解斜視図。
【図３】本発明の養生筒容器の断面図。
【図４】本発明の養生筒容器と使用状態の断面図。
【図５】本発明の養成体容器の斜視図。
【図６】本発明の養成体容器内に養生筒容器を設置した断面図。
【図７】本発明の養成体容器に野菜養生筒容器の外観斜視図。
【発明を実施するための形態】
【０００７】  以下、本発明の実施するための形態を説明する。
第一の発明は、野菜の育成養生を目的とする、養生筒容器Ａであり、
第二の発明は、野菜の保存、展示陳列管理をする、養成体容器Ｂである。
第一の発明の養生筒容器Ａは次のような構成である。
（イ）養生筒容器Ａは略円筒状の中空の筒で内側筒体部２と外側筒体部６に分離され、内側筒体部２の側面に縦長の切込み４を設ける。
（ロ）養生筒容器Ａの切込み部４で内側筒体部２の直径が収縮し、外側筒体部６に挿入自在となり一本の筒体を形成する。
（ハ）養生筒容器Ａは、内側筒体部２に複数の貫通した穴５と外側筒体部６に複数の貫通した穴７を設ける。
（ニ）養生筒容器Ａは内側筒体部２の中央部を取り巻く凹部３と外側筒体部６の中央部を取り巻く凹部８を設ける。
（ホ）養生筒容器Ａの内側筒体部２の上開口部１は口径が狭く、内側筒対部２の内側筒体部下開口部２３の口径は太く設ける。
（ヘ）養生筒容器Ａの外側筒体部６の外側筒体部上開口部２４は内側筒体部２の内側筒体部下開口部２３が入るために太く作り、下開口部９は狭く設ける。
（ト）養生筒容器Ａ、上開口部１と下開口部９は先端へ向けて細く絞り形成を設ける。
（チ）養生筒容器Ａは植物の根の養生にスポンジ、紙、布、化学繊維等々で包み使用することで浸透圧現象、毛細管現象等につながる。
第二の発明の、養成体容器Ｂは次のような構造である。
（イ）養成体容器Ｂは柔軟性のある、薄い被覆層の表層部表装面１０があり、複数の切り抜き部１１とその周縁に複数の切り込み部１２を設け、化粧版１３にある切り抜き部１４、とそれぞれ切り抜き部１１、切込み部１２が連動して設ける。
（ロ）養成体容器Ｂは、上面の開いた、有底の四角形状の容器部２１を設ける。
（ハ）養成体容器Ｂ、容器部２１内の左右に高さ調整部１５ａ，１５ｂを設ける。
（二）養成体容器Ｂ内、高さ調整部１５ａ，１５ｂの次に縦方向の網の固定安定枠１６ａと横方向の網の固定安定枠１６ｂを置き、保水スポンジ層１７を上下で挟むように、横方向の網の固定安定枠１６ｃ、縦方向の網の固定安定枠１６ｄを設ける、容器部２１内は左右に高さ調整部１５ｃ．高さ調整部１５ｄを保水槽１８内、下方に設置する。
（ホ）養成体容器Ｂは給水口１９と排水口２０を設ける。
本発明は以上のような構造である。
【０００８】  本発明は、野菜の根、根菜類を養生することで、保存、展示陳列、食育と観察が出来るようにした。養生筒容器Ａは内側筒体部２と外側筒体部６の分離された筒体部が一本につながることで使用する。内側筒体部２の切込み部４は開閉して、養生する根、根菜類を包みこむ。内側筒体部２はそのまま切込み部４の収縮を利用して外側筒体部６に挿入して、一本の筒体にして野菜の根、根菜類の養生は完成する。このとき、細い根、根菜類等の保護に、浸透圧や毛細管現象の応用でスポンジや布、紙、化学繊維等で包み、より良く養生保護を施し、内側筒体部２と外側筒体部６の筒体内に隙間や緩みを作らない様に養生し、少ない補助水、養分液で、保存、展示陳列採取可能になる。内側筒体部２の穴５と外側筒体部６の穴７がそれぞれ複数の貫通した穴５と穴７が開いていることで、保水等が根の隅々へ容易に行き渡る。内側筒体部２と外側筒体部６の一本の筒体部には、内側筒体部２を取り巻く凹部３と外側筒体部を取り巻く凹部８がそれぞれにある、凹部は養成体容器Ｂの固定安定枠１６ａ，１６ｂの格子状枠のひとつの格子で、内側筒体部２の凹部３を受け止め、固定安定枠１６ｃ，１６ｄの格子状枠でも外側筒体部６の凹部８が収まることで、さらに養生筒容器Ａの上下左右の動きを固定安定させる。保水スポンジ層１７の保水スポンジが保水給水と揺れ、衝撃から養生された養生筒容器Ａの植物の根や根菜類が守られる。保水槽１８によって、養生筒容器Ａが複数格納されても、野菜の根、根菜類が養生格納された養生筒容器Ａは長時間の保存、展示陳列管理が養成体容易Ｂ内の給水口１９と排水口２０の連動で補給水並びに栄養等を保水巡回することで保たれる。
【符号の説明】
【０００９】１  上開口部          ２  内側筒体部              ３  凹部
４  切込み部          ５  穴                      ６  外側筒体部
７  穴                ８  凹部                    ９  下開口部
１０  表層部表装面    １１  切抜き部              １２  切込み部
１３  化粧版          １４  切抜き部              １５ａ  高さ調整部
１５ｂ  高さ調整部    １６ａ  固定安定枠          １６ｂ  固定安定枠
１７  保水スポンジ層  １６ｃ  固定安定枠          １６ｄ  固定安定枠
１５ｃ  高さ調整部    １５ｄ  高さ調整部          １８ｂ  保水槽
１９  給水口          ２０  排水口                ２１  容器部
２２  野菜            ２３  内側筒体部下開口部    ２４  外側筒体部上開口部
Ａ  養生筒容器
Ｂ  養成体容器
【図１】
2013022013.tif 000003
【図２】
2013022013.tif 000004
【図３】
2013022013.tif 000005
【図４】
2013022013.tif 000006
【図５】
2013022013.tif 000007
【図６】
2013022013.tif 000008
【図７】
2013022013.tif 000009